(57)【要約】【課題】タッチパネルに対する操作時に、ユーザに対して、よりリアリティのある操作感を提供し、ユーザにおける操作の認識を向上させる。【解決手段】電子機器は、ユーザの指により操作するタッチパネル部（１０）と、前記タッチパネル部を振動させる振動発生部（２０）と、音声を発生する音声発生部（２６）と、これらを制御する制御部（３０）と、を備えており、前記タッチパネル部は、ユーザの指位置を検出可能な指位置検出部（１０ｂ）と、前記タッチパネル部に操作部を表示させる表示部（１０ａ）と、を備え、前記制御部は、ユーザによる操作部への操作に応じて、前記タッチパネル部に振動を与えるように前記振動発生部に与える制御と、少なくとも、前記操作部に変化を与えるように前記表示部に与える制御、又は、音声を発生させるように前記音声発生部に与える制御の何れかを実施する。【選択図】図６
2019204272.tif 000002
【特許請求の範囲】
【請求項１】
ユーザの指により操作するタッチパネル部（１０）と、
前記タッチパネル部を振動させる振動発生部（２０）と、
音声を発生する音声発生部（２６）と、
これらを制御する制御部（３０）と、を備えており、
前記タッチパネル部は、ユーザの指位置を検出可能な指位置検出部（１０ｂ）と、前記タッチパネル部に操作部を表示させる表示部（１０ａ）と、を備え、
前記制御部は、ユーザによる操作部への操作に応じて、前記タッチパネル部に振動を与えるように前記振動発生部に与える制御と、少なくとも、前記操作部の表示を変化させるように前記表示部に与える制御、又は、音声を発生させるように前記音声発生部に与える制御の何れか、とを実施する電子機器（１）。
【請求項２】
前記タッチパネル部（１０）には、スライド式であってディテント（Ｄ）を備える操作部（Ｓ２、Ｓ３）が表示されており、前記操作部が前記ディテントを跨ぐ際に、前記操作部の大きさを、ユーザの指の動きに対する速度比を１以下として前記操作部の表示サイズを大きく変化させる第１の表示制御を実行し、その後、ユーザの指の動きに対する速度比を１以上として前記操作部の表示サイズを小さく変化させる第２の表示制御を実行する請求項１に記載の電子機器（１）。
【請求項３】
前記制御部（３０）は、前記第２の表示制御を実行するタイミングに対応させて、前記振動発生部（２０）を制御して前記タッチパネル部（１０）に振動を与え、前記音声発生部（２６）を制御して音声を発生させる請求項２に記載の電子機器（１）。
【請求項４】
前記制御部（３０）は、前記第２の表示制御の終了時に対応させて、前記振動発生部（２０）を制御して前記タッチパネル部（１０）に振動を与え、前記音声発生部（２６）を制御して音声を発生させる請求項２に記載の電子機器。
【請求項５】
前記タッチパネル部（１０）には、押下式ボタンを模した操作部（Ｐ２）が表示されており、前記操作部の押下に応じて、押下開始タイミングと押下終了タイミングと、押下開始タイミングと押下終了タイミングと間に底付きが設けられており、前記制御部（３０）は、前記操作部の押下に応じて、押下開始タイミングと押下終了タイミングと、押下開始タイミングと底付きの間の所定のタイミング、及び、押下終了タイミングと底付きの間の所定のタイミングで、前記タッチパネル部に振動を与えるように前記振動発生部（２０）を制御する請求項１に記載の電子機器（１）。
【請求項６】
前記制御部（３０）は、前記操作部（Ｐ２）の大きさが、前記所定のタイミングで最も大きく表示され、底付きのタイミングで最も小さく表示されるように、前記表示部を制御する請求項５に記載の電子機器（１）。
【請求項７】
前記操作部（Ｓ２，Ｓ３，Ｐ２、Ｂ）の色が変化するように前記表示部（１０ａ）を制御する請求項１から６に記載の電子機器。
【請求項８】
前記操作部（Ｓ２，Ｓ３，Ｐ２、Ｂ）の形が変化するように前記表示部（１０ａ）を制御する請求項１から６に記載の電子機器（１）。
【請求項９】
前記操作部（Ｓ２，Ｓ３，Ｐ２、Ｂ）に、エフェクトが付加された状態と、エフェクトを付加されない状態を切り替えるように前記表示部を制御する請求項１から６に記載の電子機器。
【請求項１０】
前記操作部（Ｓ２，Ｓ３，Ｐ２、Ｂ）において、エフェクトが付加された状態と、エフェクトを付加されない状態を切り替えるとともに、エフェクトが付加された状態で前記操作部を揺らすように表示させるように前記表示部を制御する請求項１から６に記載の電子機器。
【請求項１１】
前記タッチパネル部（１０）には、スライド式の操作部（Ｓ２、Ｓ３）が表示されており、前記操作部がユーザの指によってスライドされた際に、スライド方向に前記操作部の長さを変化させる表示制御を実行する請求項１に記載の電子機器（１）。
【発明の詳細な説明】
【技術分野】
【０００１】
本発明は、電子機器に関する。
【背景技術】
【０００２】
タッチセンサを備えた機器、例えばスマートフォンや車載ナビなどのタッチセンサによる操作機能は、例えば液晶表示されたアイコン、スイッチ等を指で操作することで実行される。しかし、タッチセンサに表示されたスイッチ等を操作する場合、例えばタクトスイッチ、メタルコンタクトスイッチ等のメカ式スイッチに比べて、操作時のフィードバック、例えば、クリック感や凹凸感がユーザの指に伝わらない為、操作感が希薄であるという問題が有る。
【０００３】
そこで、ユーザが画面ボタンを操作した時、操作面を振動させる事で、操作感をユーザの指に伝える技術が提案されている（特許文献１）。また、画面の大型化などに伴い振動力が足りなく触感が弱くなる為、操作時の押圧力に合わせて振動とそれに応じた表示を出す技術が提案されている（特許文献２）。
【先行技術文献】
【特許文献】
【０００４】
【特許文献１】特開２０１５−１３３０１９号公報
【特許文献２】特開２０１５−１６２１５２号公報
【発明の概要】
【発明が解決しようとする課題】
【０００５】
しかし、スライド操作など押圧力の変化がない操作の場合や、車の運転時等、表示を凝視できない場合は効果が少なくなる。また、実際のメカボタンの操作時に発生する音の情報がないため、操作リアリティが乏しい。
【０００６】
本発明は、上記課題に鑑みてなされたものであり、その目的は、タッチパネルに対する操作時に、ユーザに対して、よりリアリティのある操作感を提供し、ユーザにおける操作の認識を向上させることができる電子機器を提供することを目的とする。
【課題を解決するための手段】
【０００７】
請求項１に記載した電子機器（１）は、ユーザの指により操作するタッチパネル部（１０）と、前記タッチパネル部を振動させる振動発生部（２０）と、音声を発生する音声発生部（２６）と、これらを制御する制御部（３０）と、を備えており、前記タッチパネル部は、ユーザの指位置を検出可能な指位置検出部（１０ｂ）と、前記タッチパネル部に操作部を表示させる表示部（１０ａ）と、を備え、前記制御部は、ユーザによる操作部への操作に応じて、前記タッチパネル部に振動を与えるように前記振動発生部に与える制御と、少なくとも、前記操作部に変化を与えるように前記表示部に与える制御、又は、音声を発生させるように前記音声発生部に与える制御の何れかを実施する。
【０００８】
この構成によれば、タッチパネルの操作時において、所定の操作に応じて、視覚、触覚、聴覚による情報をリンクして発信する。これにより、タッチパネルに対する操作時に、ユーザに対して、よりリアリティのある操作感を提供することができるため、ユーザにおける操作の認識を向上させることができる。
【図面の簡単な説明】
【０００９】
【図１】第１実施形態に係る電子機器の概略構成を示すブロック図
【図２】図３のＡ−Ａ線における電子機器の一部の概略構成を示す縦断面図
【図３】電子機器の概略構成を示す分解図
【図４】振動発生部の配置位置の変形例の概略を示す図
【図５】メカスライドスイッチによる操作の概略を示す図
【図６】第１実施形態におけるソフトウェアスイッチの表示制御の概略を示す図
【図７】第２実施形態におけるソフトウェアスイッチの表示制御の概略を示す図
【図８】メカプッシュスイッチによる操作の概略を示す図
【図９】第３実施形態におけるソフトウェアスイッチの表示制御の概略を示す図
【図１０】第４実施形態におけるソフトウェアスイッチの表示制御の概略を示す図
【図１１】第５実施形態におけるソフトウェアスイッチの表示制御の概略を示す図
【図１２】第６実施形態におけるソフトウェアスイッチの表示制御の概略を示す図
【図１３】第７実施形態におけるソフトウェアスイッチの表示制御の概略を示す図
【図１４】第８実施形態におけるソフトウェアスイッチの表示制御の概略を示す図
【発明を実施するための形態】
【００１０】
以下、本発明の複数の実施形態について図面を参照して説明する。以下の説明において前出と同様の要素については同様の符号を付し、その説明については省略する。
【００１１】
（第１実施形態）
第１実施形態に係る電子機器１は、例えば、車両用操作パネルとして用いられるものであり、多くの場合は車両内部の前方中央部の運転席又は助手席から視認及び操作可能な位置に配置されている。電子機器１は、例えば、カーナビゲーション、エアコン、オーディオ等の各機能を操作するための操作装置、車両の種々の情報を表示する表示装置等として機能している。
【００１２】
図１〜図３に示すように、電子機器１は、タッチパネル部１０、振動発生部２０、隙間距離検出部２４、音声発生部２６、及び、これらを制御する制御部３０を備えており、これらの裏面はケース２５により覆われている。タッチパネル部１０の表面は、オーバーレイ１１により覆われている。タッチパネル部１０とオーバーレイ１１は積層されて一体構成されている。
【００１３】
タッチパネル部１０は表示部１０ａ及び指位置検出部１０ｂを備えている。表示部１０ａは例えばＴＦＴ液晶表示装置であり、ユーザが操作するためのスイッチ、ボタン等の表示や種々の情報を表示する。
【００１４】
指位置検出部１０ｂは、オーバーレイ１１の裏面側すなわち表示部１０ａ側に貼付されている。指位置検出部１０ｂは、ユーザの指がオーバーレイ１１にタッチした際に、タッチした指に電気力線の一部が吸収されることによる静電容量値の変化を検出し、これにより指によりタッチされた位置を検出可能に構成されている。
【００１５】
この構成により、タッチパネル部１０は表示部及び指位置検出部として機能する。また、タッチパネル部１０は、表示された例えばスイッチを、ユーザの指等によりタッチ操作することにより電子機器１を操作する操作部としても機能する。
【００１６】
タッチパネル部１０下部にはバックライト１４が設けられている。バックライト１４は、タッチパネル部１０に光を照明する光源である。タッチパネル部１０を光で照射することで、タッチパネル部１０に表示された文字等を視認することができる。
【００１７】
振動発生部２０は、タッチパネル部１０に振動を与える機能を備える。振動発生部２０は電磁コイル２０ａ及び固定鉄心２０ｂを備えている。ケース２５にはインサート成形により形成された固定ヨーク１８が設けられており、振動発生部２０はケース２５に固定された固定ヨーク１８上に固定配置されている。
【００１８】
第１実施形態では、振動発生部２０として、ソレノイド方式のアクチュエータが用いられた例を示している。アクチュエータとしては、他に、偏心回転体を用いた振動モータ型アクチュエータや、振動体の共振周波数に合わせたパルス波駆動によるリニア共振アクチュエータ等を用いることができる。振動発生部２０は、電磁コイル２０ａ及び固定鉄心２０ｂを備えている。電磁コイル２０ａ及び固定鉄心２０ｂは固定ヨーク１８に固定されている。
【００１９】
図２、図３に示すように、電子機器１では、板バネ１６、基板２３がネジ２５ａによりケース２５に螺設固定されている。可動ヨーク１７は、板バネ１６にカシメなどの手段で固定され、これにより、板バネ１６によって弾性的に支持されている。
【００２０】
可動ヨーク１７とタッチパネル部１０は、可動フレーム１５を介して一体的に接続されている。可動ヨーク１７、可動フレーム１５、及びタッチパネル部１０は全体として板バネ１６により弾性的に支持されているため、可動ヨーク１７、可動フレーム１５、及びタッチパネル部１０の全体は外部からの力により一体的に上下に動くことができる。
【００２１】
可動ヨーク１７は、固定鉄心２０ｂの上側に対向した位置に、電磁コイル２０ａによって発生する磁力によって吸引可能な所定距離を備えて離間して配置されている。電磁コイル２０ａへの通電のオン、オフを繰り返すことにより、振動発生部２０における磁界の発生、消滅を交互に実行される。
【００２２】
磁界が発生すると、可動ヨーク１７は振動発生部２０方向に吸引されて下方向に動き、磁界が消滅すると、板バネ１６の弾性力により可動ヨーク１７は振動発生部２０から遠ざかる。これを繰り返すことによって、可動ヨーク１７は上下方向に振動する。固定ヨーク１８は、鉄などの透磁率の高い材料で構成されており、振動発生部２０のＯＮ時の磁束密度を上げる作用を有している。
【００２３】
可動フレーム１５は、高剛性部材を用いて構成されており、例えば、Ｆｅ、Ａｌ、Ｍｇ等の金属もしくはこれらの合金、カーボンファイバー、ＡＢＳ（アクリロニトリル、ブタジエン、スチレン共重合合成樹脂）、ＰＣ（ポリカーボネート樹脂）、ＰＢＴ（ポリブチレンテレフタレート樹脂）等の樹脂、もしくはこれらに例えばガラスやタルク等を添加した強化材料、又は、ガラス、木材等により構成されている。これにより、可動ヨーク１７の上下運動は可動フレーム１５を介してタッチパネル部１０に効率よく伝達され、タッチパネル部１０を効率的に振動させることが可能となる。
【００２４】
隙間距離検出部２４は、可動ヨーク１７の下面に対向する位置に配置されており、可動ヨーク１７との距離すなわち隙間距離を検出する。隙間距離検出部２４は可動ヨーク１７との距離の変位量を測定してユーザの指による押下量を検出する。第１実施形態では隙間距離検出部２４は例えば基板２３に設けられている。これにより、可動ヨーク１７の上下運動、すなわちタッチパネル部１０の上下運動を検出することができ、ユーザの指によるタッチパネル部１０の押下量、押下速度等を検出することができる。音声発生部２６は、音声を発生させる装置であり、例えばスピーカである。発生させる音声は、例えば、メカスイッチ、ボタン等を操作した際には発生する機械音や操作音などの音声をサンプリングしたもの、あるいはこれらの音声を模して作成した音声等を用いることができる。
【００２５】
制御部３０は基板２３に設けられている。制御部３０は、例えばＣＰＵ、ＲＡＭ、ＲＯＭ、Ｉ／Ｏなどを備えて構成されたプロセッサである。制御部３０において、例えば、ＲＯＭに格納されたプログラムが実行されることにより、タッチパネル部１０、振動発生部２０、隙間距離検出部２４、音声発生部２６に対する種々の制御が実行される。
【００２６】
振動発生部２０は図４に示すように、複数に分散させて配置してもよい。図４には、タッチパネル部１０の四隅に位置するように分散させて配置した構成を例示している。このように振動発生部２０を分散させて配置すると、個々の振動発生部２０が分担する可動部の質量が小さくなるため、発生する振動伝達の効率化を図ることができる。
【００２７】
また、振動発生部２０を分散させて配置すると、タッチパネル部１０を介してユーザに付与される振動の減衰が抑制されるため、ユーザに対するタッチ感度を向上させることができる。また、個々の振動発生部２０を小型化することができるため、ひいては電子機器１全体の小型化を実現することができる。
【００２８】
次に、上記に説明した電子機器１において実行される制御について説明する。
図５は、第１実施形態に係る制御と対比するために、一般的なメカスライドスイッチにおけるスイッチ動作の概略を説明するための図である。図５に示すように、メカスライドスイッチにおいては、指によりボタンＳ１をスライドさせることにより、例えばエアコンなどの温度設定を行う。
【００２９】
ボタンＳ１は操作部として機能する。ボタンＳ１はユーザの指によるスライド操作で、図において左右方向へスライド移動するスライド式の操作部である。ボタンＳ１をスライドさせた場合に、２６度、２７度、、、の各温度領域の境界において、ディテントＤが設けられている。
【００３０】
ディテントとは、実際のメカニカルなスイッチにおいて、人為的に作り出された抵抗によって操作部（ここでいうボタンＳ１）を所定位置に保持する機構等、例えば例えばノッチとばね抵抗を用いて構成された機構等を意味する。別の位置への移動は、この抵抗に打ちかつ力を加えることが必要である。ディテントＤを超えた後は、スイッチはばね抵抗とノッチの作用により先行して移動することになり、操作力はマイナスとなって操作方向に指が引き込まれる感覚を得る。
【００３１】
従って、ディテントＤを跨ぐタイミングで、ボタンＳ１を操作する指に抵抗を伴うため、ユーザの指に図に示すように操作力が必要となる。また、ディテントＤを跨ぐ際の指が引き込みを感じるタイミングで、図に示す音圧で示すように、音が発生する。
【００３２】
第１実施形態に係る制御では、図６に示すように、メカスライドスイッチと同様に、指によりボタンＳ２を矢印で示す方向にスライドさせることにより、例えば、エアコンなどの温度設定を行う場合の操作例を例示している。ボタンＳ２は操作部として機能する。
【００３３】
図６に示すように、タッチパネル部１０において、ソフト的に表示させたボタンＳ２が表示されており、指でボタンＳ２をスライドさせることで２６度、２７度、、、の各温度領域の境界に設けられたディテントＤを跨ぐ。ディテントＤを跨ぐタイミングで、ボタンＳ２の表示サイズ、及び表示サイズ変化の対指速度比すなわち指の動く速度に対するボタンＳ２の表示サイズの変化速度の比を変化させる。指速度は、タッチパネル１０で検出された指位置情報を用いて、制御部３０が算出する。
【００３４】
ボタンＳ２の表示サイズの変化の制御は以下のとおりである。ディテントＤを跨ぐタイミングに対応して、まず前半で、サイズ変化の対指速度比を１以下すなわち変化速度を遅くしてボタンＳ２の表示サイズを大きく変化させ（第１の表示制御）、次いで、後半ではサイズ変化の対指速度比を１以上すなわち変化速度を速くしてボタンＳ２の表示サイズを小さく変化させる（第２の表示制御）。また、ディテントＤを跨ぐタイミングで、振動発生部２０による振動を発生させ、上記第１の表示制御の終了時すなわち第２の表示制御の開始時に対応させて音声発生部２６から音声を発生させる。
【００３５】
上記の制御により、ユーザは、タッチパネル部１０におけるボタンＳ２の表示変化については視覚で認識することができ、振動発生部２０の振動によるタッチパネル部１０における振動は指による触覚で認識することができ、音声発生部２６による音声の発声は聴覚で認識することができる。
【００３６】
第１実施形態に係る電子機器１によれば以下の効果を奏する。
第１の実施形態における電子機器１では、操作ボタンＳ２がディテントＤを跨ぐタイミングで、タッチパネル部１０におけるボタンＳ２の表示サイズを変化させる制御を行うとともに、振動発生部２０における振動を発生させることによりタッチパネル部１０を振動させる。さらに、音声発生部２６から音声を発生させる。
【００３７】
このようなソフトウェアボタンＳ２による操作時において、ディテントＤ通過のタイミングに応じて、視覚、触覚、聴覚による情報をリンクさせて発信することにより、ユーザに対する操作のフィードバック効果を向上させることが可能となる。これにより、タッチパネルに対する操作時に、ユーザに対して、よりリアリティのある操作感を提供することができるため、ユーザにおける操作の認識を向上させることができる。
【００３８】
（第２実施形態）
第２実施形態について、図７を参照して説明する。第２実施形態に係る電子機器１においては、操作ボタンＳ３に対して、第１実施形態における第１の表示制御、及び第２の表示制御が実施される。ボタンＳ３は操作部として機能する。そして、第２の表示制御の終了時に、振動発生部２０における振動発生によりタッチパネル部１０を振動させるとともに、音声発生部２６から音声を発生させる。その他の構成は第１実施形態と同じである。
【００３９】
第２実施形態によれば第１実施形態と同様の効果を奏する。また、第２実施形態に係る電子機器１によれば、タッチパネル部１０の振動及び音声発生部２６による音声の発生を第２の表示制御の終了時とすることにより、ユーザに対して、ボタンＳ３の操作時に、壁に当たったような強い境界感を演出できる。
【００４０】
（第３実施形態）
第３実施形態に係る電子機器１において、以下の制御が実行される。その他の構成は第２実施形態と同じである。
図８は、第１及び第２実施形態に係る制御と対比するために、一般的なメカプッシュスイッチボタンすなわち機械的な押下ボタンにおけるスイッチ動作の概略を説明するための図である。図８においては、指によりボタンＰ１を押下する場合の操作例を例示している。ボタンＰ１は操作部として機能する。ボタンＰ１の押下によって、例えばスイッチのオン、オフを操作するような場合が想定される。
【００４１】
図８には、ボタンＰ１の押下を開始するタイミングＴ１（押下開始タイミング）、押下力が第１の極大となるタイミングＴ２、押下力が極小となるタイミングＴ３、ボタンＰ１が底付きするタイミングＴ４、押下力が減少して極小となり、その後第２の極大となるタイミングＴ５、ボタンＰ１が押し戻されて押下力がなくなり押下が終了するタイミングＴ６（押下終了タイミング）が表示されている。ここで、底付きとは、メカプッシュスイッチボタンを押下した際に、ボタンが押下限界まで達して押下が停止すること、又はボタンが押下限界まで達して押下が停止するような疑似的感覚を意味する。底付きのタイミングＴ４は、押圧の戻し始めのタイミングでもある。
【００４２】
ボタンＰ１がメカボタンである場合には、操作力すなわち押下力は、タイミングＴ１からタイミングＴ３にかけて増加した後、タイミングＴ２で極大値となり、その後やや減少して、タイミングＴ３で極小値となり、再度増加してボタンＰ１のボタン底付きのタイミングＴ４で操作力がピークを持ち、その後、操作力が減少した後さらに再度増加してタイミングＴ５で極大値を採り、その後減少してタイミングＴ６で操作が終了し操作力がなくなる。
【００４３】
また、操作力が極大値を採るタイミングＴ２、Ｔ５に対応させて、図に示す音圧で示すように、操作に伴う音が発生する。第３実施形態では例えばタイミングＴ２で音声の発生開始のタイミングとし、例えばタイミングＴ５で音声発生の終了のタイミングとなっている。
【００４４】
第３実施形態に係る制御では、図９に示すように制御される。
図９において、操作力はユーザがタッチパネル部１０を押下する押下力を意味している。ボタンＰ２は制御部３０により表示部１０ａをソフトウェア的に制御してタッチパネル部１０に表示させたボタンであり、ユーザが指で操作可能に構成されている。ボタンＰ２は押下式ボタンを模した操作部として機能する。ボタンＰ２の押下量は隙間距離検出部２４によって検出される。
【００４５】
タイミングＶ１においてユーザはタッチパネル部１０に表示されたボタンＰ２の押下を開始し、タイミングＶ３で操作力が極大となって底付きし、その後操作力は減少しタイミングＶ４で押下が終了して操作力がなくなる。タイミングＶ３は、おおよそメカプッシュスイッチボタンにおける底付きに対応している。
【００４６】
振動発生部２０による振動の発生は、タイミングＶ１とＶ３間の任意のタイミングＶ２と、タイミングＶ３とＶ６の間の任意のタイミングＶ４で実施される。音声発生部２６による音声の発生は、振動の発生に合致させたタイミングＶ２と、振動の振幅の反転のタイミングに合致させたタイミングＶ５で実施される。
【００４７】
また、タッチパネル部１０におけるボタンＰ２の表示サイズは、タイミングＶ１から徐々に大きく変化させ、タイミングＶ２で極大となり、その後小さく変化させ、タイミングＶ３でサイズが極小となった後、徐々に大きく変化させ、タイミングＶ６で元の大きさとする。
【００４８】
ユーザは、タッチパネル部１０におけるボタンＰ２の表示サイズの変化については目による視覚で認識し、タッチパネル部１０の振動は指による触覚で認識し、音声発生部２６による音声の発声は耳による聴覚で認識する。
【００４９】
第３実施形態に係る電子機器１によれば以下の効果を奏する。
第３実施形態における電子機器１では、ボタンＰ２の押下開始、底付き、戻しのタイミングに対応して、タッチパネル部１０におけるボタンＰ２の表示サイズを変化させる制御を行うとともに、振動発生部２０における振動を発生させることによりタッチパネル部１０を振動させ、さらに、音声発生部２６から音声を発生させる。
【００５０】
このようにボタンＰ２の押下操作において、所定の操作に応じて、所定のタイミングで、視覚、触覚、聴覚による情報をリンクして発信することにより、ユーザに対する操作のフィードバック効果を向上させることが可能となる。これにより、タッチパネルに対する操作時に、ユーザに対して、よりリアリティのある操作感を提供することができるため、ユーザにおける操作の認識を向上させることができる。
【００５１】
（第４から第８実施形態）
次に第４実施形態から第８実施形態を、図１０から図１４を参照して説明する。
第４実施形態から第８実施形態においては、ボタンＳ１、Ｓ２によるディテントＤの通過のタイミング、又は、ボタンＰ２の押下のタイミングにおいて、タッチパネル部１０に表示されたボタンＢの映像に変化を付与する制御が実施される。第４実施形態においては、図１０に示すように、ボタンＢに色の変化を付与する制御が実施される。第５実施形態においては、図１１に示すように、ボタンＢに形の変化を付与する制御が実施される。
【００５２】
第６実施形態においては、図１２に示すように、ボタンＢに影等のエフェクトを付与する制御が実施され、例えば影のエフェクトが付加された状態と、エフェクトを付加されない状態を切り替えるように制御される。ここで、エフェクトとは、ボタンＢのような操作部に影などの修飾を付加したり、操作部を移動、回転、揺動させたりする効果を意味する。
【００５３】
第７実施形態においては、図１３に示すように、第６実施形態に説明した構成に加えて、さらに、ボタンＢを揺動させるエフェクトを付加する制御が実施される。例えば影のような修飾を付加するエフェクトが付加された状態と、エフェクトが付加されない状態を切り替えるとともに、修飾が付加された状態でボタンＢを揺動させるようなエフェクトを付加する制御が実行される。ボタンＢに付加されるエフェクトとしては、上記の他に、ボタンＢの移動、回転、点滅、あるいは、脈動させて大きさを変化させる等が有る。
【００５４】
第８実施形態においては、図１４に示すように、スライド式の操作部であるボタンＢが表示されており、ボタンＢをユーザの指でタッチしたまま右方向にスライドさせた際に、ボタンＢの左辺はそのままで、右辺を右方向に移動させ、あたかもボタンＢが指の動きに合わせて指のスライド方向すなわち右方向に延伸され、ボタンＢの長さが長く伸びるように変化させる制御が実行される。
第４から第８実施形態によれば第１から第３実施形態と同様の効果を奏する。
【００５５】
以上のように複数の実施形態に分けて説明したが、これらはその趣旨を反しない範囲で組み合わせることが可能である。第１実施形態及び第２実施形態では、ボタンＳ２、Ｓ３の変化について、ディテントＤを跨ぐタイミングで、まず前半で、サイズ変化の対指速度比を１以下にすなわち遅くしてボタンＳ２の表示サイズを大きく変化させ、次いで、後半では対指速度比を１以上すなわち速くしてボタンＳ２の表示サイズを小さく変化させる制御をおこなったが、これを逆にしてもよい。これを逆にすることで、溝落ち感のある操作感を提供することができるため、より強い印象を伴う操作感を提供できる。上記実施形態において、振動発生部２０による振動を発生させるタイミング、音声発生部２６から音声を発生させるタイミングを変更してもよい。また、上記説明において、ユーザの指によりタッチパネル部１０に表示されたスイッチやボタンを操作するものとして説明したが、指の代わりに、例えば、タッチペンやスタイラスによってタッチ操作することとしてもよい。
【００５６】
本開示は、実施例に準拠して記述されたが、本開示は当該実施例や構造に限定されるものではないと理解される。本開示は、様々な変形例や均等範囲内の変形をも包含する。加えて、様々な組み合わせや形態、さらには、それらに一要素のみ、それ以上、あるいはそれ以下、を含む他の組み合わせや形態をも、本開示の範疇や思想範囲に入るものである。
【符号の説明】
【００５７】
１…電子機器、１０…タッチパネル部、１０ａ…表示部、１０ｂ…指位置検出部、  ２０…振動発生部、２０ａ…電磁コイル、２０ｂ…固定鉄心、２４…隙間距離検出部  、２６…音声発生部、３０…制御部
【図１】
2019204272.tif 000003
【図２】
2019204272.tif 000004
【図３】
2019204272.tif 000005
【図４】
2019204272.tif 000006
【図５】
2019204272.tif 000007
【図６】
2019204272.tif 000008
【図７】
2019204272.tif 000009
【図８】
2019204272.tif 000010
【図９】
2019204272.tif 000011
【図１０】
2019204272.tif 000012
【図１１】
2019204272.tif 000013
【図１２】
2019204272.tif 000014
【図１３】
2019204272.tif 000015
【図１４】
2019204272.tif 000016